(57)【要約】【課題】確動カム機構を用いずに、構成が簡単な電動消しゴム装置の提供。【解決手段】電動消しゴム装置は、片手で把持可能なケース本体１と、このケース本体１内に収納されたモータ２及び電池ボックス３と、ケース本体１の紙面対向口Ｍから突出した直方体の消しゴム４を保持してケース本体１内に揺動可能に設けられた消しゴムホルダ５と、スイッチ（図示せず）操作により駆動するモータ２の回転運動を消しゴムホルダ５が鋭角円弧状軌跡で往復動を繰り返す揺動運動に変換するクランク機構１０と、紙面対向口Ｍを画成する弾性紙押え６を有して成る。【選択図】      図１
2008023821.tif 000002
【特許請求の範囲】
【請求項１】
片手で把持可能なケース本体と、このケース本体内に収納されたモータ及びこれに給電する電池と、前記ケース本体の紙面対向口から突出した消しゴムを保持して当該ケース本体内に揺動可能に設けられた消しゴムホルダと、スイッチ操作により駆動する前記モータの回転運動を前記消しゴムホルダが鋭角円弧状軌跡で往復動を繰り返す揺動運動に変換するクランク機構とを有して成ることを特徴とする電動消しゴム装置。
【請求項２】
請求項１に記載の電動消しゴム装置において、前記クランク機構は、前記モータの回転軸に対して偏心回転するクランク部材と、前記ケース本体内に固定した支軸を中心に揺動する揺動アームとを有し、前記揺動アームは、前記クランク部材の端部をスライダとしてアーム長さ方向に案内するガイド部を備えて成ることを特徴とする電動消しゴム装置。
【請求項３】
請求項１又は請求項２に記載の電動消しゴム装置において、前記紙面対向口を画成する紙押えと、この紙押えを反ケース本体側へ押し出し付勢する弾性手段とを有して成ることを特徴とする電動消しゴム装置。
【請求項４】
請求項１又は請求項２に記載の電動消しゴム装置において、前記紙面対向口を画成する弾性紙押えを有して成ることを特徴とする電動消しゴム装置。
【請求項５】
請求項１乃至請求項４のいずれか一項に記載の電動消しゴム装置において、前記ケース本体は、前記支軸に対する横断面上で実質的にＵ字形状であることを特徴とする電動消しゴム装置。
【発明の詳細な説明】
【技術分野】
【０００１】
本発明は、片手で把持可能な電動消しゴム装置に関する。
【背景技術】
【０００２】
特開平３−９０４００に開示の電動消しゴム装置においては、消しゴムを紙面上で直線状に往復運動をさせる場合のように、確動カム機構を用いて直進往復運動を実現している。
【特許文献１】特開平３−９０４００（第７図）
【発明の開示】
【発明が解決しようとする課題】
【０００３】
しかしながら、確動カム機構を用いているため、構成が非常に複雑である。
【０００４】
そこで上記問題点に鑑み、本発明の課題は、確動カム機構を用いずに、構成が簡単な電動消しゴム装置を提供することにある。
【課題を解決するための手段】
【０００５】
本発明に係る電動消しゴム装置は、片手で把持可能なケース本体と、このケース本体内に収納されたモータ及びこれに給電する電池と、ケース本体の紙面対向口から突出した消しゴムを保持して当該ケース本体内に揺動可能に設けられた消しゴムホルダと、スイッチ操作により駆動するモータの回転運動を消しゴムホルダが鋭角円弧状軌跡で往復動を繰り返す揺動運動に変換するクランク機構とを有することを特徴とする。
【０００６】
ケース本体を片手で把持してスイッチ操作をすると、消しゴムホルダが鋭角円弧状軌跡で往復動を繰り返すため、紙面対向口から突出した消しゴムも鋭角円弧状軌跡で往復動を繰り返すので、紙面上に消しゴムを接触させることにより、紙面上の文字等を消すことができる。消しゴムは鋭角円弧状軌跡で並進往復するものの、その消しゴム自体の弾力性と紙面からの反力による片手の上下動も生じるため、消しゴムは殆ど鋭角円弧状軌跡の範囲で紙面に接し、消去すべき範囲を確保できる。
【０００７】
特に、本発明では、クランク機構を用いて消しゴムを可動できるため、構成が簡単であり、低コストの電動消しゴム装置を提供できる。
【０００８】
クランク機構としては、モータの回転軸に対して偏心回転するクランク部材と、ケース本体内に固定した支軸を中心に揺動する揺動アームとを有し、揺動アームは、クランク部材の端部をスライダとしてアーム長さ方向に案内するガイド部を備えて成る構成を採用できる。クランク部材と支軸と揺動アームとの多くとも３部品でクランク機構を構成できるため、コンパクト化を実現できる。なお、支軸はケース本体と一体的構成でも構わない。
【０００９】
この電動消しゴム装置においては、紙面対向口を画成する紙押えと、この紙押えを反ケース本体側へ押し出し付勢する弾性手段とを有して成ることが望ましい。紙面に紙押えを弾力的に押し当てた状態で消しゴムが鋭角円弧状軌跡で並進往復するため、手で紙を直接押えている必要がない。また、紙面からの反力により弾性手段が適度にケース本体側へ避退するため、紙面に対する消しゴムの摩擦抵抗の加減が容易となる。
【００１０】
弾性手段の部品点数を減らすためには、紙面対向口を画成する弾性紙押えを設けると好い。片手による押え付け如何により弾性紙押え自身が弾性変形するからである。この弾性紙押えは刷毛のような物でも構わない。紙面上のゴム屑を払うときにも便利である。
【００１１】
ケース本体の形状は種々のものを採用できるが、例えば、ケース本体が支軸に対する横断面上で実質的にＵ字形状である場合、ケース本体を指で摘むように把持でき、通常の消しゴムの取扱い感覚と同様にできる。
【発明の効果】
【００１２】
本発明によれば、クランク機構を用いて消しゴムを可動できるため、構成が簡単であり、低コストの電動消しゴム装置を提供できる。
【発明を実施するための最良の形態】
【００１３】
次に、本発明の実施形態を添付図面に基づいて説明する。図１は本発明の実施例に係る電動消しゴム装置を示す外観斜視図、図２は同電動消しゴム装置の組立斜視図である。
【００１４】
本例の電動消しゴム装置は、片手で把持可能な樹脂製のケース本体１と、このケース本体１内に収納されたモータ２及び電池ボックス３と、ケース本体１の紙面対向口Ｍから突出した直方体の消しゴム４を保持してケース本体１内に揺動可能に設けられた消しゴムホルダ５と、スイッチ（図示せず）操作により駆動するモータ２の回転運動を消しゴムホルダ５が鋭角円弧状軌跡で往復動を繰り返す揺動運動に変換するクランク機構１０と、紙面対向口Ｍを画成する弾性紙押え６を有して成る。
【００１５】
クランク機構１０は、モータ２の回転軸（図示せず）に嵌るクランク板１１と、ケース本体１内に固定した支軸１２を中心に揺動する揺動アーム１３とを有し、揺動アーム１３は、クランク板１１の偏心ピン１１ａをスライダとしてアーム長さ方向に案内する長孔１３ａと、一端部に支軸１２が挿入する挿通孔１３ｂとを有し、他端側が消しゴムホルダ５に連結している。消しゴムホルダ５は両側面にそれぞれガイドピン５ａを有し、一方のガイドピン（図示せず）はケース本体１の側面に形成したガイド孔１ａに嵌り、他方のガイドピン５ａはケース本体１を覆う樹脂製のカバー７の内面に形成したガイド孔（図示せず）に嵌っている。
【００１６】
ケース本体１の支軸１２に対する横断面形状はやや末広がりのＵ字形状になっており、先端側に外側へ反った滑り性のある弾性紙押え６が設けられている。
【００１７】
ケース本体１を片手で把持してスイッチ操作をすると、消しゴムホルダ４が鋭角（約４５°）円弧状軌跡で往復動を繰り返すため、紙面対向口Ｍから突出した消しゴム４も鋭角円弧状軌跡で往復動を繰り返すので、紙面上に消しゴムを接触させることにより、紙面上の文字等を消すことができる。消しゴム４は鋭角円弧状軌跡で並進往復するものの、その消しゴム４自体の弾力性と紙面からの反力による片手の上下動も生じるため、消しゴム４は殆ど鋭角円弧状軌跡の範囲で紙面に接し、消去すべき範囲を充分確保できる。
【００１８】
このように、本例ではクランク機構１０を用いて消しゴム４を可動できるため、構成が簡単であり、低コスト化を図り得る。
【００１９】
クランク機構１０としては、クランク板１１と支軸１２と揺動アーム１３との３部品で構成できるため、コンパクト化を実現できる。なお、支軸１２はケース本体１と一体的成形しても好い。
【００２０】
ケース本体１の先端側に紙面対向口Ｍを画成する弾性紙押え６が設けられているため、紙面に弾性紙押え６を弾力的に押し当てた状態で消しゴム４が鋭角円弧状軌跡で並進往復するので、手で紙を直接押えている必要がない。また、片手による押え付け如何により弾性紙押え６自身が反るように弾性変形で避退するため、紙面に対する消しゴム４の摩擦抵抗の加減が容易となる。この弾性紙押え６は刷毛のような物でも構わない。紙面上のゴム屑を払うときにも便利である。
【００２１】
本例のケース本体１は支軸１２に対する横断面上で実質的にＵ字形状であるので、ケース本体１を指で摘むように把持でき、通常の消しゴムの取扱い感覚と同様にできる。
【図面の簡単な説明】
【００２２】
【図１】本発明の実施例に係る電動消しゴム装置を示す外観斜視図である。
【図２】同電動消しゴム装置の組立斜視図である。
【符号の説明】
【００２３】
１…ケース本体
１ａ…ガイド孔
２…モータ
３…電池ボックス
４…消しゴム
５…消しゴムホルダ
５ａ…ガイドピン
６…弾性紙押え
７…カバー
１０…クランク機構
１１…クランク板
１１ａ…偏心ピン
１２…支軸
１３…揺動アーム
１３ａ…長孔
１３ｂ…挿通孔
Ｍ…紙面対向口
【図１】
2008023821.tif 000003
【図２】
2008023821.tif 000004